(57)【要約】      （修正有）【課題】  ディスクの抜き取りや入れ替えを防止しやすい、開封用切断ラインによる切断により開封されるディスク包装体について、切断時の台紙表面の層剥離を防止できるようにすると共に、開封作業が容易で、しかも外部からディスクを確認するための窓部を合成樹脂フィルムで覆って保護できるようにする。【解決手段】  上下面に上紙１と底紙３を貼り合わせた中紙２にディスク収納部７がくり抜かれており、このディスク収納部にディスクが収納されている一方、上紙１には、窓部が開口されていて、この窓部の周縁部がディスク収納部の内側に突き出てディスクの外周縁部上に被さる窓枠部１０となっており、さらに窓部上を含む上紙１の表面を覆って透明な合成樹脂フィルムが貼り合わされており、窓枠部の基部に沿って、合成樹脂フィルムおよび上紙を断続的に貫通する円形の開封用切断ライン１２が形成されたディスク包装体とする。【選択図】図４
2006036329.tif 000002
【特許請求の範囲】
【請求項１】
上紙、中紙および底紙を貼り合わせた台紙の中紙が円形にくり抜かれてディスク収納部となっており、このディスク収納部内に、ディスクが、当該ディスク収納部内に露出する底紙に取り付けられたディスク止めにセンンター孔を嵌め合わせて収納されており、
上紙には、ディスク収納部に収納されたディスクの中央部に対応して窓部が開口していると共に、この窓部の周縁部がディスク収納部の内側に突き出てディスクの外周縁部上に被さる窓枠部を構成しており、
さらに前記窓部上を含む上紙表面を覆って透明な合成樹脂フィルムが貼り合わされていると共に、前記窓枠部の基部に沿って、合成樹脂フィルムおよび上紙を断続的に貫通する円形の開封用切断ラインが形成されていることを特徴とするディスク包装体。
【請求項２】
開封用切断ラインの外側に接する合成樹脂フィルム、上紙および中紙の一部がくり抜かれて指掛け部を構成していることを特徴とする請求項１に記載のディスク包装体。
【請求項３】
台紙の一辺に沿って折り曲げスリットが形成されており、折り曲げスリットの外側が本への綴じ込み代となっていることを特徴とする請求項１または２に記載のディスク包装体。
【発明の詳細な説明】
【技術分野】
【０００１】
本発明は、光ディスク（コンパクトディスク、ミニディスク、レーザーディスクなど）や磁気ディスク（フレキシブルディスクなど）などのディスクの包装体に関する。さらに詳しくは、本への綴じ込みに適したディスク包装体に関する。
【背景技術】
【０００２】
従来、本への綴じ込みができるディスク包装体としては、上紙、中紙および底紙を貼り合わせた台紙の上紙と中紙をくり抜いてディスク収納部とし、上紙表面側に、弱粘着再剥離性粘着剤で透明フィルムを粘着させてディスク収納部を覆い、透明フィルムを繰り返して剥離および粘着させることができるようにすることで、ディスクをディスク収納部に出し入れすることができるようにしたものが知られている（例えば、特許文献１参照）。
【０００３】
また、ディスクより大きい矩形くり抜き部を有する中紙と、この矩形くり抜き部に重なる位置にディスクより小さな円形の窓部が開口した上紙とを貼り合わせた上台紙と、ディスクとほぼ同じ大きさの円形くり抜き部を有する中紙と、底面を構成する底紙とを貼り合わせた下台紙とを、下台紙の円形くり抜き部にディスクを収納した状態で、中紙同志を向き合わせて貼り合わせ、矩形くり抜き部と円形くり抜き部によって形成される空間内にディスクを収容して包み込み、前記矩形くりぬき部と重なる上紙の窓部周囲の一部を、矩形くり抜き部の相隣接する二辺に対応する位置に形成された開封用切断ラインに沿って切断して折り立てることでディスクを取り出すことができるようにしたものが知られている（例えば、特許文献２参照）。
【０００４】
【特許文献１】特開平８−２０７４６５号公報
【特許文献２】特開平９−１２０７９号公報
【発明の開示】
【発明が解決しようとする課題】
【０００５】
ところで、特許文献１の包装体は、透明フィルムでディスクを覆っていることから、外部からディスクを確認することができると同時に、ディスクに直接手指が触れることを防止できる利点がある。
【０００６】
しかしながら、透明フィルムは、繰り返しの剥離および粘着が可能であるので、この包装体を本に綴じ込んで書店の店頭に並べた場合、ディスクの抜き取りや入れ替えを防止できない問題がある。
【０００７】
一方、特許文献２の包装体は、開封用切断ライン沿った切断で開封するものであることから、開封跡が残るので、抜き取りを抑制することができると共に、入れ替えなどを発見しやすい利点がある。
【０００８】
しかしながら、開封用切断ラインに沿った切断を慎重に行わないと、切断時に台紙表面（上紙表面）の一部が随伴して層剥離し、外観が汚くなりやすい問題がある。特に上紙の表面は、収納するディスクの説明や装飾模様などの印刷を施すことが多く、この表面が層剥離してしまうと、説明文が読めなくなったり外観の著しい低下につながりやすい。また、特許文献２の包装体は、開封用切断ラインが矩形くり抜き部の相隣接する二辺に対応する位置に形成されており、コーナー部を跨いで切断しなければならないので、切断作業が行いにくい問題もある。さらには、外部からディスクを確認するための窓部が開放状態であるので、陳列時にディスクに指跡などを付けられてしまうことにより、商品価値を低下させてしまう懸念もある。
【０００９】
本発明は、上記従来の問題点に鑑みてなされたもので、ディスクの抜き取りや入れ替えを防止しやすい、開封用切断ラインによる切断により開封されるディスク包装体について、切断時の台紙表面の層剥離を防止できるようにすると共に、開封作業が容易で、しかも外部からディスクを確認するための窓部を合成樹脂フィルムで覆って保護できるようにすることを目的とする。
【課題を解決するための手段】
【００１０】
上記目的のために、本発明は、上紙、中紙および底紙を貼り合わせた台紙の中紙が円形にくり抜かれてディスク収納部となっており、このディスク収納部内に、ディスクが、当該ディスク収納部内に露出する底紙に取り付けられたディスク止めにセンンター孔を嵌め合わせて収納されており、
上紙には、ディスク収納部に収納されたディスクの中央部に対応して窓部が開口していると共に、この窓部の周縁部がディスク収納部の内側に突き出てディスクの外周縁部上に被さる窓枠部を構成しており、
さらに前記窓部上を含む上紙表面を覆って透明な合成樹脂フィルムが貼り合わされていると共に、前記窓枠部の基部に沿って、合成樹脂フィルムおよび上紙を断続的に貫通する円形の開封用切断ラインが形成されていることを特徴とするディスク包装体を提供するものである。
【００１１】
また、上記本発明は、開封用切断ラインの外側に接する合成樹脂フィルム、上紙および中紙の一部がくり抜かれて指掛け部を構成していること、
台紙の一辺に沿って折り曲げスリットが形成されており、折り曲げスリットの外側が本への綴じ込み代となっていること、
をその好ましい態様として含むものである。
【発明の効果】
【００１２】
本発明によれば、上紙の表面に合成樹脂フィルムが貼り合わされているので、開封用切断ラインに沿って窓枠部を切り離して開封する際に、上紙表面の層剥離が上記合成樹脂フィルムによって押さえられ、窓枠部を容易に奇麗に切り離すことができ、上紙表面に施したディスクの説明や装飾模様などの印刷が、開封時にはぎ取られてしまうのを防止することができる。
【００１３】
また、本発明における開封用切断ラインは、円形のディスク収納部の内側に突き出た窓枠部の基部に沿って円形に形成されているので、開封用切断ラインに沿った切れ目の伝播が滑らかで、切断作業が行いやすい。
【００１４】
さらに、窓部が透明な合成樹脂フィルムで覆われているので、開封前にディスクに直接手指が触れることがないので、ディスクの汚れを防止することができる。
【発明を実施するための最良の形態】
【００１５】
図１〜図６に基づいて、本発明の一例を説明する。
【００１６】
図１は本発明に係るディスク包装体の一例を示す斜視図、図２は図１のＡ−Ａ部の模式的断面図、図３は図１のＢ−Ｂ部の模式的断面図、図４は図１に示されるディスク包装体の開封作業状態を示す斜視図、図５は図１のＡ−Ａ部に対応する開封後の模式的断面図、図６は図１のＢ−Ｂ部に対応する開封後の模式的断面図である。なお、図１〜図６において同じ符号は同じ部材または部位を示す。
【００１７】
図１〜図３に示されるように、本例のディスク包装体は、上紙１、中紙２および底紙３を貼り合わせた台紙４を用いたものとなっている。上紙１および底紙３は、露出面に印刷を施すことが多いので、コート紙を用いることが好ましく、中紙２はボール紙で構成することができる。また、上紙１、中紙２および底紙３は、厚さの調整のためなどの目的で、それぞれ複数層の紙を貼り合わせたものとすることもできる。
【００１８】
中紙２は、後述するディスク止め５の高さとほぼ等しい厚さのもので、ディスク６を収容できる大きさの円形のくり抜きによって、ディスク収納部７が形成されている。このディスク収納部７は、ディスク６と同じ大きさでもよいが、ディスク６の出し入れを容易にするため、ディスク６より一回り大きくしておくことが好ましい。
【００１９】
底紙３は、上記ディスク収納部７の底面を構成するもので、中紙２の下面側に貼り合わされている。また、ディスク収納部７の内側に露出する底紙３部分の中央には、ディスク止め５が取り付けられている。このディスク止め５は、ディスク６のセンター孔８を嵌め合わせてディスク６を保持させるためのもので、上記ディスク収納部７内には、センター孔８をディスク止め５に嵌め合わせて保持された状態でディスク６が収納されている。
【００２０】
上紙１には、ディスク収納部７内に収納されたディスク６の中央部に対応する位置に窓部９が打ち抜かれている。窓部９は、ディスク６より小さい円形をなしており、その周縁部はディスク収納部７の内側に突き出て、ディスク６の外周縁部上に被さる窓枠部１０を構成している。つまり、ディスク収納部７内のディスク６は、底紙３と上記上紙１の窓枠部１０間に挟み込まれている。
【００２１】
上紙１の表面上には、窓部９上を覆って、全面に透明な合成樹脂フィルム１１が貼り合わされている。合成樹脂フィルムとしては、例えばポリプロピレン、ポリエチレン、ポリエステル、ポリ塩化ビニルなどのフィルムを用いることができる。合成樹脂フィルム１１は、上紙１の表面に印刷を施した場合に見にくくならないよう、無色透明なものが好ましいが、有色透明のものを用いることもできる。
【００２２】
合成樹脂フィルム１１は、後述する開封用切断ライン１２に沿った切断を妨げないよう、厚さが１５〜２０μｍ程度であることが好ましい。また、上紙１への合成樹脂フィルム１１の貼り合わせは、例えば透明な水性アクリル接着剤を用いたラミネート加工によって行うことができる。
【００２３】
前記上紙１の窓枠部１０の基部（ディスク収納部７の縁部に沿う部分）には、上記合成樹脂フィルム１１および上紙１を断続的に貫通するスリットやミシン目などで構成された円形の開封用切断ライン１２が設けられている。また、開封用切断ライン１２の外側に接する合成樹脂フィルム１１と上紙１と中紙２の一部がくり抜かれて、指掛け部１３が形成されている。図示される例においては、２箇所の指掛け部１３が相対向する位置に形成されている。
【００２４】
合成樹脂フィルム１１が貼り合わされた台紙４の一辺（図面では左側の長辺）に沿って、折り曲げスリット１４が形成されており、この折り曲げスリット１４の外側が本への綴じ込み代１５となっている。この折り曲げスリット１４は、綴じ込み代１５を介して本例のディスク包装体を本に綴じ込んだ時に、台紙４を折り曲げやすくして、ページを開きやすくするためのもので、合成樹脂フィルム１１側から中紙２の途中または中紙２をほぼ貫通する深さで形成されている。
【００２５】
上記本例のディスク包装体は、指掛け部１３に指先を入れ、窓枠部１０を摘んで引っ張り、図４に示されるように、開封用切断ライン１２に沿って切断して、窓枠部１０を、その上に被さっている合成樹脂フィルム１１部分と共に取り外すことによって開封することができる。開封後は、図５及び図６に示されるように、ディスク収納部７は開放された状態となるが、開封後であっても、取り出したディスク６を、そのセンター孔８をディスク止め５に嵌め込んでディスク収納部７に収納することにより、脱落させることなく保管することができる。
【００２６】
なお、上記の例においては、上紙１の表面にのみ合成樹脂フィルム１１が付設されているが、底紙３の表面（外面）にも合成樹脂フィルム１１を貼り合わせ、表裏の質感を整えたり、底紙３の表面に印刷を施した場合の印刷面保護を図ることもできる。
【００２７】
次に、上記ディスク包装体の製造方法を図７〜図９で説明する。
【００２８】
図７は中紙および底紙部分の加工手順を示す図、図８は上紙および合成樹脂フィルム部分の加工手順を示す図、図９は既に貼り合わされている中紙および底紙部分と、既に貼り合わされている上紙および合成樹脂フィルム部分との貼り合わせ状態を示す図で、いずれも図１のＡ−Ａ部に対応する模式的断面図である。なお、図７〜図９において、同じ符号は同じ部材または部位を示す。
【００２９】
中紙２および底紙３部分と、上紙１および合成樹脂フィルム１１部分とに分けて加工されるもので、中紙２および底紙３部分は、図７（ａ）に示されるように、まず、予めディスク収納部７と指掛け部１３がくり抜かれた中紙２の下面側に、底紙３を貼り合わせる。この貼り合わせは、例えば酢酸ビニルエマルジョン系接着剤などで行うことができる。
【００３０】
中紙２と底紙３を貼り合わせた後、図７（ｂ）に示されるように、中紙２のディスク収納部７内に露出している底紙３の中央にディスク止め８を接着剤で取り付ける。
【００３１】
また、図７（ｃ）に示されるように、上記ディスク止め８にセンター孔８を嵌め込んで、ディスク６をディスク収納部７内に納める。このディスク６の収納は、通常、後述する上紙１および合成樹脂フィルム１１部分との貼り合わせによる封止直前に行われる。
【００３２】
一方、上紙１および合成樹脂フィルム１１部分は、図８（ａ）に示されるように、予め窓部９をくり抜いた上紙１の上面上に合成樹脂フィルム１１を被せて貼り合わせる。この貼り合わせは、窓部９をくり抜いた上紙１の上面上に透明な水性アクリル接着剤を塗布し、この塗布面に合成樹脂フィルム１１を被せて加熱圧着させることで行うことができる。
【００３３】
上記合成樹脂フィルム１１の貼り合わせ後、図８（ｂ）に示されるように、合成樹脂フィルム１１および上紙１を断続的に貫通する開封用切断ライン１２と、合成樹脂フィルム１１および上紙１をくり抜いた指掛け部１３とを形成する。開封用切断ライン１２は、前記中紙２に形成されたディスク収納部７の外縁に沿った位置に形成し、指掛け部１３は、前記中紙２の指掛け部１３に対応する位置に形成する。また、開封用切断ライン１２と窓部９の間が窓枠部１０となる。
【００３４】
前記のようにして貼り合わされ、ディスク収納部７にディスク６が納められた中紙２および底紙３部分と、上記のようにして貼り合わされた上紙１および合成樹脂フィルム１１部分は、図９に示されるように、中紙２と上紙１を向き合わせ、指掛け部１３の位置を合わせて貼り合わせ、封止される。この貼り合わせも、前記中紙２と底紙３の貼り合わせと同様に、酢酸ビニルエマルジョン系接着剤などで行うことができる。
【００３５】
なお、図１及び図３に示される折り曲げスリット１４は、この封止後に合成樹脂フィルム１１側からハーフカットを施すことで形成することができる。
【図面の簡単な説明】
【００３６】
【図１】本発明に係るディスク包装体の一例を示す斜視図である。
【図２】図１のＡ−Ａ部の模式的断面図である。
【図３】図１のＢ−Ｂ部の模式的断面図である。
【図４】図１に示されるディスク包装体の開封作業状態を示す斜視図である。
【図５】図１のＡ−Ａ部に対応する開封後の模式的断面図である。
【図６】図１のＢ−Ｂ部に対応する開封後の模式的断面図である。
【図７】中紙および底紙部分の加工手順を示す、図１のＡ−Ａ部に対応する模式的断面図である。
【図８】上紙および合成樹脂フィルム部分の加工手順を示す、図１のＡ−Ａ部に対応する模式的断面図である。
【図９】既に貼り合わされている中紙および底紙部分と、既に貼り合わされている上紙および合成樹脂フィルム部分との貼り合わせ状態を示す、図１のＡ−Ａ部に対応する模式的断面図である。
【符号の説明】
【００３７】
１    上紙
２    中紙
３    底紙
４    台紙
５    ディスク止め
６    ディスク
７    ディスク収納部
８    センター孔
９    窓部
１０  窓枠部
１１  合成樹脂フィルム
１２  開封用切断ライン
１３  指掛け部
１４  折り曲げスリット
１５  綴じ込み代
【図１】
2006036329.tif 000003
【図２】
2006036329.tif 000004
【図３】
2006036329.tif 000005
【図４】
2006036329.tif 000006
【図５】
2006036329.tif 000007
【図６】
2006036329.tif 000008
【図７】
2006036329.tif 000009
【図８】
2006036329.tif 000010
【図９】
2006036329.tif 000011